(57)【要約】      （修正有）【課題】記録媒体の排出中の他の記録媒体の誤挿入を防止できる情報処理装置を提供する。【解決手段】ＣＤチェンジャ１はディスク搬送部４とストッパ機構１６とＭＰＵ１７を備えている。ディスク搬送部４はモータ１５により回転駆動されることで機器本体内にＣＤを出し入れする駆動ローラ２１と駆動ローラ２１に近づく方向に付勢された従動ローラ２２を備えている。従動ローラ２２にはロータリエンコーダ２５が取り付けられている。ストッパ機構１６はＣＤが侵入することを許容する状態とＣＤが侵入することを規制する状態とが切換自在である。ＭＰＵ１７はＣＤを排出する際にロータリエンコーダ２５がＣＤを排出するときに回転する方向と逆向きの方向に従動ローラ２２が回転したことを検出するとストッパ機構１６を機器本体内にＣＤが侵入することを規制する状態に切り換える。【選択図】図３
2010055688.tif 000002
【特許請求の範囲】
【請求項１】
機器本体と、
駆動源により回転駆動されることで前記機器本体内に記録媒体を出し入れする駆動ローラと、
前記駆動ローラに接離自在に設けられかつ前記駆動ローラに近づく方向に付勢されているとともに前記駆動ローラとの間に前記記録媒体を挟みこむ従動ローラと、
前記機器本体に設けられて動作状況を表示する表示部と、を備えた情報処理装置において、
前記従動ローラの回転方向を検出する検出手段と、
前記機器本体内に前記記録媒体が侵入することを許容する状態と、前記機器本体内に前記記録媒体が侵入することを規制する状態とが切換自在な侵入阻止手段と、
前記記録媒体を前記機器本体外に排出する際に、前記検出手段が前記記録媒体を排出するときに回転する方向と逆向きの方向に前記従動ローラが回転したことを検出すると、前記侵入阻止手段を前記機器本体内に前記記録媒体が侵入することを許容する状態から前記機器本体内に前記記録媒体が侵入することを規制する状態に切り換える制御手段と、
を備えたことを特徴とする情報処理装置。
【請求項２】
前記制御手段は、前記記録媒体を前記機器本体外に排出する際に、前記検出手段が前記記録媒体を排出するときに回転する方向と逆向きの方向に前記従動ローラが回転したことを検出すると、この前記従動ローラが逆向きの方向に回転したことを示す情報を前記表示部に表示させることを特徴とする請求項１記載の情報処理装置。
【発明の詳細な説明】
【技術分野】
【０００１】
本発明は、自動車などに搭載される情報処理装置に関し、更に詳しくは、記録媒体を機器本体に出し入れ可能であり、この機器本体内に収容した記録媒体に記録された情報を再生する情報処理装置に関する。
【背景技術】
【０００２】
例えば、移動体としての自動車のインストルメントパネル（以下インパネと呼ぶ）には、情報処理装置としてのＣＤプレーヤ（例えば、特許文献１参照）が取り付けられる。ＣＤプレーヤは、記録媒体としてのCompact Disc（以下ＣＤと呼ぶ）が記録した情報を読み出す。
【０００３】
特許文献１などに示された従来のＣＤプレーヤは、前記インパネに取り付けられる機器本体と、前記機器本体の前面に開口した記録媒体挿入口と、ＣＤを機器本体の内外に出し入れする搬送ユニットと、前記ＣＤに記録された情報を読み出すための再生ユニットと、前記機器本体の前面に設けられかつ前記ＣＤプレーヤの動作状況を表示する表示部と、前記機器本体の前面に設けられかつ前記ＣＤプレーヤを操作するための操作部などを備えている。機器本体は、複数の板金などが互いに組み付けられて箱状に形成されたシャーシを備えている。記録媒体挿入口は、内側に前記ＣＤが通される。
【０００４】
搬送ユニットは、記録媒体挿入口内を通されたＣＤを所定の再生位置まで搬送したり、前記再生位置からＣＤを記録媒体挿入口まで搬送して該ＣＤを機器本体内から排出する。搬送ユニットは、互いに接離自在に設けられて、互いの間に前記ＣＤを挟みこむ駆動ローラと従動ローラとを備えている。駆動ローラと従動ローラとは、互いに接離自在に設けられかつ互いに近づく方向に付勢されている。駆動ローラは、駆動源としてのモータによりその軸芯周りに回転駆動される。従動ローラは、その軸芯周りに回転自在に設けられかつ駆動ローラとの間に挟みこんだＣＤが当該駆動ローラの回転駆動により機器本体に出し入れされるＣＤの移動に従動して回転する。搬送ユニットは、駆動ローラと従動ローラとの間にＣＤを挟んで、駆動ローラがモータにより回転駆動されることで、前記ＣＤを機器本体に出し入れする。
【０００５】
再生ユニットは、機器本体内に収容されたＣＤをクランプして、当該ＣＤの情報を読み出す。
【０００６】
表示部は、周知の蛍光表示管などで構成されている。操作部は、複数の押圧スイッチやダイヤルスイッチなどを備えている。
【０００７】
前述したＣＤプレーヤは、搬送ユニットが機器本体にＣＤを出し入れし、再生ユニットが機器本体内のＣＤの情報を読み出して再生する。
【特許文献１】特開２０００−２０７８０２号公報
【発明の開示】
【発明が解決しようとする課題】
【０００８】
しかしながら、前述した従来のＣＤプレーヤは、機器本体内のＣＤを機器本体外に排出する際に、使用者が誤って、排出中のＣＤと従動ローラとの間に他のＣＤを挿入すると、前記従動ローラが回転自在となっているために、当該他のＣＤが前記排出中のＣＤ上を滑って機器本体内に挿入されてしまうことがあった。このように、他のＣＤを機器本体内に挿入してしまうと、勿論、当該他のＣＤを再度排出することは困難で、ＣＤプレーヤが故障してしまう原因となっていた。
【０００９】
したがって、本発明の目的は、例えば、記録媒体の排出中の他の記録媒体の誤挿入を防止できる情報処理装置を提供することにある。
【課題を解決するための手段】
【００１０】
本発明の情報処理装置は、機器本体と、駆動源により回転駆動されることで前記機器本体内に記録媒体を出し入れする駆動ローラと、前記駆動ローラに接離自在に設けられかつ前記駆動ローラに近づく方向に付勢されているとともに前記駆動ローラとの間に前記記録媒体を挟みこむ従動ローラと、前記機器本体の外面に設けられて動作状況を表示する表示部と、を備えた情報処理装置において、前記従動ローラの回転方向を検出する検出手段と、前記機器本体内に前記記録媒体が侵入することを許容する状態と、前記機器本体内に前記記録媒体が侵入することを規制する状態とが切換自在な侵入阻止手段と、前記記録媒体を前記機器本体外に排出する際に、前記検出手段が前記記録媒体を排出するときに回転する方向と逆向きの方向に前記従動ローラが回転したことを検出すると、前記侵入阻止手段を前記機器本体内に前記記録媒体が侵入することを許容する状態から前記機器本体内に前記記録媒体が侵入することを規制する状態に切り換える制御手段と、を備えたことを特徴としている。
【発明を実施するための最良の形態】
【００１１】
以下、本発明の一実施形態にかかる情報処理装置を説明する。本発明の一実施形態にかかる情報処理装置は、記録媒体の排出中に、従動ローラが排出するときに回転する方向と逆向きの方向に回転すると侵入阻止手段が記録媒体の機器本体内への侵入を阻止するようにしている。こうすることで、記録媒体の排出中に、他の記録媒体が排出中の記録媒体と従動ローラとの間に挿入されても、当該他の記録媒体の機器本体内への侵入を阻止できる。したがって、記録媒体の排出中の他の記録媒体の誤挿入を確実に防止することができる。
【００１２】
また、記録媒体の排出中に、従動ローラが排出するときに回転する方向と逆向きの方向に回転すると、即ち他の記録媒体が排出中の記録媒体と従動ローラとの間に挿入されると、侵入阻止手段が他の記録媒体の侵入を阻止することに加えて、かかる旨の表示部に表示するようにしても良い。この場合、使用者に記録媒体の誤挿入を喚起ことができ、記録媒体の排出中の他の記録媒体の誤挿入をより確実に防止することができる。
【実施例】
【００１３】
以下、本発明の一実施例にかかる情報処理装置の一例としてのＣＤチェンジャ１を、図１ないし図８に基づいて説明する。図１などに示すＣＤチェンジャ１は、自動車などの移動体に装備されて、記録媒体としてのＣＤ２（図２などに示す）を複数収容して、これらのＣＤ２から任意のＣＤ２に記録された情報を読み出（再生）して、音声として出力する装置である。ＣＤ２は、勿論、円板状即ちディスク状に形成されており、コンピュータなどの電子機器で読みとることのできる情報を記録した記録媒体である。
【００１４】
ＣＤチェンジャ１は、図２に示すように、機器本体３（図１に示す）と、表示部としての表示パネル１３と、操作部１４と、駆動源としてのモータ１５と、ディスク搬送部４と、ディスク再生部５と、収容部としてのディスク収容部６と、ディスク移動機構７と、侵入阻止部としてのストッパ機構１６と、制御手段としての図示しないマイクロプロセッサ（ＭＰＵ）１７とを備えている。なお、以下、図２中のＣＤ２の搬送する際に移動する方向（以下、搬送方向と呼ぶ）と平行な矢印ＹをＣＤチェンジャ１の奥行き方向と記し、奥行き方向Ｙに対し直交しかつＣＤ２の表面と平行な矢印ＸをＣＤチェンジャ１の幅方向と記し、幅方向Ｘと奥行き方向Ｙとの双方に対して直交する矢印ＺをＣＤチェンジャ１の厚み方向と記す。
【００１５】
機器本体３は、合成樹脂からなる図１に示す外側ケース８と、板金などからなる図２などに示す固定シャーシ９などを備えている。外側ケース８は、扁平な箱状に形成されている。外側ケース８には、その前面８ａにＣＤ２を出し入れ可能な挿入口１０が設けられている。
【００１６】
挿入口１０は、外側ケース８の外壁を貫通している。挿入口１０は、内側にＣＤ２を通すことができる。挿入口１０を通して、前記ＣＤ２は、外側ケース８即ち機器本体３内に収容されたり、該機器本体３内から排出される。即ち、挿入口１０は、ＣＤ２を機器本体３に出し入れ自在とする。
【００１７】
固定シャーシ９は、外側ケース８内に収容されているとともに、該外側ケース８に固定されている。固定シャーシ９は、図２に示すように、板状の底板１１と、この底板１１の外縁から立設した周板１２を備えている。底板１１は、外側ケース８の図１中下側に位置する壁上に重ねられている。周板１２は、外側ケース８の外壁上に重ねられている。
【００１８】
表示パネル１３は、前述した外側ケース８の前面８ａに露出して設けられ、使用者に対し各種の情報を表示する表示領域としての表示面を備えている。表示パネル１３は、表示面に再生中のプログラム名等の動作状況を示す情報を表示する。
【００１９】
操作部１４は、各種のスイッチ１４ａを備えている。スイッチ１４ａが使用者などに操作されることによって、例えば、挿入口１０を通して機器本体３内に挿入されるＣＤ２を保持する後述のホルダ１９を設定するために用いられる。操作部１４は、スイッチ１４ａが使用者に操作されることで、挿入口１０を通して機器本体３外に排出されるＣＤ２を保持したホルダ１９を設定するために用いられる。操作部１４は、スイッチ１４ａが使用者に操作されることで、複数のホルダ１９に保持されたＣＤ２のうち情報を読み出すＣＤ２を設定するために用いられる。
【００２０】
モータ１５は、固定シャーシ９の底板１１などに取り付けられ、前述した挿入口１０の近傍に配されている。モータ１５は、出力軸の軸芯が、挿入口１０の長手方向即ち機器本体３の幅方向Ｘに沿っている。モータ１５の出力軸には、ピニオン２０（図２に示す）が取り付けられている。
【００２１】
ディスク搬送部４は、機器本体３内に収容され、かつ挿入口１０の近傍に配置されている。ディスク搬送部４は、駆動ローラ２１と、従動ローラ２２とを備えている。
【００２２】
駆動ローラ２１と従動ローラ２２とは、それぞれ円柱状の棒状に形成され、互いに厚み方向Ｚに重ねられている。図示例では、図２に示すように、駆動ローラ２１が従動ローラ２２の上方に配置されている。また、駆動ローラ２１と従動ローラ２２とは、それぞれ、軸芯が幅方向Ｘと平行に配置され、軸芯周りに回転自在に固定シャーシ９などに支持されている。
【００２３】
また、これらの駆動ローラ２１と従動ローラ２２とは、厚み方向Ｚに沿って移動自在に機器本体３の固定シャーシ９などに移動自在に支持されて、互いに接離自在となっている。さらに、これらの駆動ローラ２１と従動ローラ２２とは、図示しない付勢手段としてのコイルばねなどにより互いに近づく方向に付勢されている。駆動ローラ２１と従動ローラ２２とは、それぞれ、金属で構成された芯軸と、この芯軸の周りに設けられたゴムなどの合成樹脂で構成されたローラ本体とを備えている。
【００２４】
さらに、駆動ローラ２１の図２中の手前側の端部には、歯車２３が取り付けられている。歯車２３は、固定シャーシ９に回転自在に設けられた中間歯車２４に噛合している。この中間歯車２４は、複数の他の中間歯車２４を介して前述したピニオン２０と噛み合っている。このため、歯車２３即ち駆動ローラ２１は、モータ１５によりその軸芯周りに回転駆動されることで前記機器本体３内にＣＤ２を出し入れする。
【００２５】
また、前記従動ローラ２２には、検出手段としてのロータリエンコーダ２５（図３に示す）が取り付けられている。即ち、ＣＤチェンジャ１は、検出手段としてのロータリエンコーダ２５を備えている。ロータリエンコーダ２５は、従動ローラ２２の回転方向を検出して、この回転方向を示す情報をＭＰＵ１７に向かって出力する。
【００２６】
前述した構成のディスク搬送部４は、駆動ローラ２１と従動ローラ２２との間にＣＤ２を挟み、モータ１５により駆動ローラ２１が回転駆動されることで、当該ＣＤ２を機器本体３に出し入れする即ち機器本体３の内外に搬送する。ディスク搬送部４の従動ローラ２２は、勿論、ＣＤ２の移動ととともに軸芯周りに回転する（即ち、移動するＣＤ２と連れ周りする）。
【００２７】
ディスク再生部５は、機器本体３内に収容されており、移動シャーシと、この移動シャーシに揺動自在に支持された揺動シャーシと、クランプ再生部とを備えている。移動シャーシは、枠状に形成され、厚み方向Ｚ即ちＣＤ２同士が重ねられる方向に沿って移動自在に固定シャーシ９に支持されている。
【００２８】
揺動シャーシは、帯板状に形成されている。揺動シャーシは、一端部を中心として回動自在に移動シャーシに支持されている。揺動シャーシは、一端部を中心として回動することで、ディスク収容部６に収容される複数のＣＤ２間に他端部が侵入する状態と、ディスク収容部６に収容される複数のＣＤ２間から他端部が抜け出る状態とに亘って変位自在になっている。
【００２９】
クランプ再生部は、揺動シャーシ上に設けられている。クランプ再生部は、ＣＤ２をクランプするターンテーブルと、当該ターンテーブルを回転するスピンドルモータと、ターンテーブルにクランプされたＣＤ２の径方向に移動自在でかつＣＤ２からの情報を読み出すピックアップなどを備えている。クランプ再生部は、揺動シャーシの他端部がＣＤ２間に侵入して、ターンテーブルが該ＣＤ２をクランプして、スピンドルモータが当該ＣＤ２を回転する。そして、クランプ再生部は、ターンテーブルが回転しているＣＤ２からピックアップが情報を読み出す。
【００３０】
ディスク再生部５は、揺動シャーシの他端部がＣＤ２間に侵入して、ターンテーブルがＣＤ２をクランプするとともに、ターンテーブルがＣＤ２を回転する。ディスク再生部５は、ピックアップが、ターンテーブルにより回転されたＣＤ２から情報を読み出す。
【００３１】
ディスク収容部６は、機器本体３内に収容されており、図２に示すように、移動シャーシ１８と、複数の保持部材としてのホルダ１９とを備えている。移動シャーシ１８は、板金などからなり、板状に形成されている。移動シャーシ１８は、固定シャーシ９の底板１１と間隔をあけて平行に配されている。移動シャーシ１８は、固定シャーシ９の底板１１との間にディスク再生部５を位置付けている。移動シャーシ１８は、前述した厚み方向Ｚ即ちＣＤ２同士が重ねられる方向に沿って移動自在に固定シャーシ９の周板１２などに支持されている。
【００３２】
ホルダ１９は、合成樹脂からなり、板状に形成されている。ホルダ１９の平面形状は、Ｃ字状に形成されている。ホルダ１９は、底板１１と移動シャーシ１８との双方と平行な状態で、移動シャーシ１８に支持されている。ホルダ１９は、そのＣ字状に形成された開口部が挿入口１０と相対する状態に配されている。
【００３３】
ホルダ１９は、挿入口１０を通して機器本体３に挿入されたＣＤ２が、開口部を通して内側に侵入することで、このＣＤ２を保持する。複数のホルダ１９は、各々が保持するＣＤ２の外表面が互いに平行になるように、互いに重ねられて配されている。ホルダ１９は、前記厚み方向Ｚに沿って移動自在に移動シャーシ１８などに支持されている。ディスク収容部６は、ＣＤ２を保持可能な複数のホルダ１９を積層配列して収容する。
【００３４】
ディスク移動機構７は、機器本体３内に収容されており、ディスク再生部５とディスク収容部６の双方の移動シャーシ１８を厚み方向Ｚに沿って移動させるとともに、ディスク収容部６の各ホルダ１９を厚み方向Ｚに沿って移動させる。ディスク移動機構７は、機器本体３内のＣＤ２から情報を読み出す際には、ディスク収容部６の移動シャーシ１８を底板１１から最も遠ざけて即ち最も上昇させて、ディスク再生部５の移動シャーシを厚み方向Ｚに沿って移動させる。そして、ディスク移動機構７は、ディスク収容部６のホルダ１９を厚み方向Ｚに沿って移動させて、一つのＣＤ２を保持したホルダ１９を他のホルダ１９から遠ざけて、これらのホルダ１９間に揺動シャーシの他端部を侵入させて、ディスク再生部５のクランプ再生部に前述した一つのＣＤ２から情報を読み出させる。
【００３５】
ディスク移動機構７は、機器本体３の内外にＣＤ２を出し入れする際には、ディスク再生部５の移動シャーシを底板１１に最も近づけて即ち最も降下させて、ディスク収容部６の移動シャーシ１８を厚み方向Ｚに沿って移動させる。そして、ディスク移動機構７は、ディスク収容部６のホルダ１９を厚み方向Ｚに沿って移動させて、機器本体３に挿入されたＣＤ２を保持する又は保持したＣＤ２を機器本体３外に排出する一つのホルダ１９を他のホルダ１９から遠ざけるとともに、この一つのホルダ１９をディスク搬送部４の駆動ローラ２１と従動ローラ２２との間と奥行き方向Ｙに沿って並ぶ位置に位置付けて、機器本体３に挿入されたＣＤ２を前述した一つのホルダ１９に保持させたり、前述した一つのホルダ１９に保持されたＣＤ２を機器本体３外に排出させる。
【００３６】
ストッパ機構１６は、図３に示すように、固定シャーシ９などに取り付けられたストッパ本体２６と、このストッパ本体２６から凸没自在に設けられたストッパピン２７とを備えている。ストッパ本体２６は、周知のソレノイドを収容している。
【００３７】
ストッパ機構１６は、ストッパ本体２６内のソレノイドへの通電状態が切り換えられることで、ストッパピン２７がストッパ本体２６から凸没する。また、ストッパ本体２６は、ストッパピン２７が突出すると、このストッパピン２７が機器本体３内に挿入されるＣＤ２に当接して当該ＣＤ２の侵入を規制し、かつストッパピン２７が没すると、このストッパピン２７が機器本体３内に挿入されるＣＤ２に当接せずに当該ＣＤ２の侵入を許容する位置に配置されている。このように、ストッパ機構１６は、ストッパ本体２６からストッパピン２７が凸没することで、機器本体３内にＣＤ２が侵入することを許容する状態と、機器本体３内にＣＤ２が侵入することを規制する状態とが切換自在となっている。
【００３８】
ＭＰＵ１７は、周知のＲＯＭ、ＲＡＭ、ＣＰＵ、タイマーなどを内蔵したマイクロコンピュータであり、モータ１５、ディスク搬送部４、ロータリエンコーダ２５、ディスク再生部５、ディスク収容部６、ディスク移動機構７及びストッパ機構１６の動作を制御して、ＣＤチェンジャ１全体の制御をつかさどる。
【００３９】
ＭＰＵ１７は、機器本体３内のＣＤ２を排出する際に、他のＣＤ２が前記排出中のＣＤ２と従動ローラ２２との間に挿入されると、以下のように動作する。まず、図４中のステップＳ１において、スイッチ１４ａのうち排出用のスイッチ１４ａが押圧操作されて、ステップＳ２に進む。そして、ＭＰＵ１７は、ステップＳ２では、モータ１５により駆動ローラ２１を機器本体３外にＣＤ２を排出する方向Ｋ１（図５中に矢印で示す）に回転駆動して、ステップＳ３に進む。そして、機器本体３外に排出されるＣＤ２は、図５に示すように、駆動ローラ２１と従動ローラ２２との間に挟まれて、排出される。このとき、ストッパ機構１６のストッパピン２７は、勿論、ストッパ本体２６に没しているとともに、駆動ローラ２１と従動ローラ２２は、勿論、機器本体３外にＣＤ２を排出する方向としての矢印Ｋ１，Ｋ２（図５中に矢印で示す）に沿って回転している。
【００４０】
ステップＳ３では、ＭＰＵ１７は、ロータリエンコーダ２５が、ＣＤ２を排出するときに回転する方向Ｋ２と逆向きの方向Ｋ２ａ（図７中に矢印で示す）に従動ローラ２２が回転したことを検出したか否かを判定する。ＭＰＵ１７は、ロータリエンコーダ２５が、ＣＤ２を排出するときに回転する方向Ｋ２と逆向きの方向Ｋ２ａに従動ローラ２２が回転したことを検出していないとステップＳ４に進み、検出するとステップＳ６に進む。そして、ＭＰＵ１７は、ステップＳ４では、ＣＤ２の排出が完了したか否かを判定し、排出が完了していないと、ステップＳ３に戻り、排出が完了すると、ステップＳ５に進んで、駆動ローラ２１の回転駆動を停止する。要するに、ＭＰＵ１７は、ＣＤ２の排出が完了するまで、ステップＳ３及びステップＳ４を繰り返す。
【００４１】
この状態で、図６に示すように、排出中のＣＤ２と従動ローラ２２との間に他のＣＤ２が挿入されると、まず、図７に示すように、従動ローラ２２が他のＣＤ２により連れ回りして、当該従動ローラ２２がＣＤ２を排出するときに回転する方向Ｋ２と逆向きの方向Ｋ２ａに回転する。すると、ＭＰＵ１７は、ステップＳ３において、ロータリエンコーダ２５が、ＣＤ２を排出するときに回転する方向Ｋ２と逆向きの方向Ｋ２ａに従動ローラ２２が回転したことを検出して、ステップＳ６に進む。
【００４２】
そして、ＭＰＵ１７は、ステップＳ６において、図７に示すように、ストッパ機構１６のストッパピン２７をストッパ本体２６から突出させて、ステップＳ７に進む。こうして、ＭＰＵ１７は、ＣＤ２を機器本体３外に排出する際に、ロータリエンコーダ２５がＣＤ２を排出するときに回転する方向Ｋ２と逆向きの方向Ｋ２ａに従動ローラ２２が回転したことを検出すると、ストッパ機構１６を機器本体３内にＣＤ２が侵入することを許容する状態から機器本体３内にＣＤ２が侵入することを規制する状態に切り換える。そして、前述した他のＣＤ２を機器本体３内に挿入しても、図８に示すように、当該他のＣＤ２がストッパピン２７に当接して、機器本体３内に完全に収容されることが規制される。
【００４３】
また、ＭＰＵ１７は、ステップＳ７において、ロータリエンコーダ２５がＣＤ２を排出するときに回転する方向Ｋ２と逆向きの方向Ｋ２ａに従動ローラ２２が回転したことを検出したこと即ち前述したＣＤ２の排出中に他のＣＤ２が挿入されたことを示す警告メッセージを表示パネル１３に表示して、ステップＳ８に進む。ステップＳ８では、ＭＰＵ１７は、ロータリエンコーダ２５がＣＤ２を排出するときに回転する方向Ｋ２と逆向きの方向Ｋ２ａに従動ローラ２２が回転したことを検出しなくなったか否か即ち前述した他のＣＤ２が抜き取られたか否かを判定して、検出していると即ち前述した他のＣＤ２が抜き取られていないとステップＳ７に戻り、検出しなくなると即ち前述した他のＣＤ２が抜き取られるとステップＳ９に進む。こうして、ＭＰＵ１７は、ロータリエンコーダ２５がＣＤ２を排出するときに回転する方向Ｋ２と逆向きの方向Ｋ２ａに従動ローラ２２が回転したことを検出しなくなるまで即ち前述した他のＣＤ２が抜き取られるまで、ステップＳ７及びステップＳ８を繰り返す。そして、ＭＰＵ１７は、ステップＳ９では、ストッパ機構１６のストッパピン２７をストッパ本体２６に没して、ステップＳ５に進む。
【００４４】
本実施例によれば、ＣＤ２の排出中に、従動ローラ２２が排出するときに回転する方向Ｋ２と逆向きの方向Ｋ２ａに回転するとストッパ機構１６がＣＤ２の機器本体３内への侵入を阻止する。このために、ＣＤ２の排出中に、他のＣＤ２が排出中のＣＤ２と従動ローラ２２との間に挿入されても、当該他のＣＤ２の機器本体３内への侵入を阻止できる。したがって、ＣＤ２の排出中の他のＣＤ２の誤挿入を確実に防止することができる。
【００４５】
また、ＣＤ２の排出中に、従動ローラ２２が排出するときに回転する方向Ｋ２と逆向きの方向Ｋ２ａに回転すると、即ち他のＣＤ２が排出中のＣＤ２と従動ローラ２２との間に挿入されると、ストッパ機構１６が他のＣＤ２の侵入を阻止することに加えて、かかる旨の表示パネル１３に表示させる。このため、使用者にＣＤ２の誤挿入を喚起することができ、ＣＤ２の排出中の他のＣＤ２の誤挿入をより確実に防止することができる。
【００４６】
前述した実施例では、駆動ローラ２１は従動ローラ２２の上方に配置されている。しかしながら、本発明では、駆動ローラ２１を従動ローラ２２の下方に配置しても良いことは勿論である。さらに、前述した実施例では、ストッパ機構１６を周知のソレノイドなどにより構成している。しかしながら、本発明では、ストッパ機構１６を周知のソレノイド以外の種々の構成としても良いことは勿論である。要するに、本発明では、ストッパ機構１６は前記機器本体３内に前記ＣＤ２が侵入することを許容する状態と、前記機器本体３内に前記ＣＤ２が侵入することを規制する状態とが切換自在であれば如何なる構成であっても良い。
【００４７】
前述した実施例によれば、以下のＣＤチェンジャが得られる。
【００４８】
（付記）機器本体３と、
モータ１５により回転駆動されることで前記機器本体３内にＣＤ２を出し入れする駆動ローラ２１と、
前記駆動ローラ２１に接離自在に設けられかつ前記駆動ローラ２１に近づく方向に付勢されているとともに前記駆動ローラ２１との間に前記ＣＤ２を挟みこむ従動ローラ２２と、
前記機器本体３に設けられて動作状況を表示する表示パネル１３と、を備えたＣＤチェンジャ１において、
前記従動ローラ２２の回転方向を検出するロータリエンコーダ２５と、
前記機器本体３内に前記ＣＤ２が侵入することを許容する状態と、前記機器本体３内に前記ＣＤ２が侵入することを規制する状態とが切換自在なストッパ機構１６と、
前記ＣＤ２を前記機器本体３外に排出する際に、前記ロータリエンコーダ２５が前記ＣＤ２を排出するときに回転する方向Ｋ２と逆向きの方向Ｋ２ａに前記従動ローラ２２が回転したことを検出すると、前記ストッパ機構１６を前記機器本体３内に前記ＣＤ２が侵入することを許容する状態から前記機器本体３内に前記ＣＤ２が侵入することを規制する状態に切り換えるＭＰＵ１７と、
を備えたことを特徴とするＣＤチェンジャ１。
【００４９】
付記によれば、ＣＤ２の排出中に、従動ローラ２２が排出するときに回転する方向Ｋ２と逆向きの方向Ｋ２ａに回転するとストッパ機構１６がＣＤ２の機器本体３内への侵入を阻止する。このために、ＣＤ２の排出中に、他のＣＤ２が排出中のＣＤ２と従動ローラ２２との間に挿入されても、当該他のＣＤ２の機器本体３内への侵入を阻止できる。したがって、ＣＤ２の排出中の他のＣＤ２の誤挿入を確実に防止することができる。
【００５０】
前述した実施例では、記録媒体としてのＣＤ２を複数収容するＣＤチェンジャ１を示している。しかしながら、本発明では、例えば、記録媒体としてのＭＤ（Mini Disc）を複数収容するＭＤチェンジャや、例えば、ＤＶＤ（Digital Versatile Disc）などの他の記録媒体を複数収容する情報処理装置に適用しても良い。さらに、本発明は、各種の記録媒体を一枚のみ収容する情報処理装置に適用しても良い。
【００５１】
なお、前述した実施例は本発明の代表的な形態を示したに過ぎず、本発明は、実施例に限定されるものではない。
【図面の簡単な説明】
【００５２】
【図１】本発明の一実施例にかかる情報処理装置としてのＣＤチェンジャの外観を示す斜視図である。
【図２】図１に示されたＣＤチェンジャの互いに組み付けられた固定シャーシとディスク搬送部とディスク再生部とディスク収容部とディスク移動機構などを示す斜視図である。
【図３】図２に示されたＣＤチェンジャの要部の構成を示すブロック図である。
【図４】図２に示されたＣＤチェンジャがＣＤの排出中に他のＣＤが挿入された際のフローチャートである。
【図５】図３に示されたＣＤチェンジャがＣＤを排出している状態を模式的に示す説明図である。
【図６】図５に示されたＣＤチェンジャのＣＤの排出中に他のＣＤが挿入される状態を模式的に示す説明図である。
【図７】図６に示されたＣＤチェンジャに他のＣＤが挿入されて従動ローラが排出する際に回転する方向と逆向きの方向に回転している状態を模式的に示す説明図である。
【図８】図７に示されたＣＤチェンジャのストッパ機構のストッパピンに他のＣＤが当接した状態を模式的に示す説明図である。
【符号の説明】
【００５３】
１  ＣＤチェンジャ（情報処理装置）
２  ＣＤ（記録媒体）
３  機器本体
１３  表示パネル（表示部）
１５  モータ（駆動源）
１６  ストッパ機構（侵入阻止部）
１７  ＭＰＵ（制御手段）
２１  駆動ローラ
２２  従動ローラ
２５  ロータリエンコーダ（検出手段）
Ｋ２  ＣＤを排出するときに回転する方向
Ｋ２ａ  逆向きの方向
【図１】
2010055688.tif 000003
【図２】
2010055688.tif 000004
【図３】
2010055688.tif 000005
【図４】
2010055688.tif 000006
【図５】
2010055688.tif 000007
【図６】
2010055688.tif 000008
【図７】
2010055688.tif 000009
【図８】
2010055688.tif 000010